(57)【要約】【課題】  電力系統の安定化を適切に図りながらも、ユーザの快適性が損なわれる可能性を低減することを可能とする電力管理方法、下位電力管理装置及び電力管理システムを提供する。【解決手段】  電力管理方法は、施設に個別に設けられる下位電力管理装置が、前記施設に設けられる検出部から検出データを受信するステップＡと、前記下位電力管理装置が、前記下位電力管理装置を管理する上位電力管理装置に対して、前記検出データを送信するステップＢと、前記施設に設けられる機器を制御するステップＣとを備える。前記ステップＣは、前記上位電力管理装置が、前記ステップＢで受信する前記検出データに基づいて、前記下位電力管理装置を通じて前記機器を制御する第１制御を行うステップＣ１と、前記下位電力管理装置が、前記上位電力管理装置の指示によらずに、前記ステップＡで受信する前記検出データに基づいて、前記機器を制御する第２制御を行うステップとＣ２を含む。【選択図】  図５
2018137946.tif 000002
【特許請求の範囲】
【請求項１】
施設に個別に設けられる下位電力管理装置が、前記施設に設けられる検出部から検出データを受信するステップＡと、
前記下位電力管理装置が、前記下位電力管理装置を管理する上位電力管理装置に対して、前記検出データを送信するステップＢと、
前記施設に設けられる機器を制御するステップＣとを備え、
前記ステップＣは、
前記上位電力管理装置が、前記ステップＢで受信する前記検出データに基づいて、前記下位電力管理装置を通じて前記機器を制御する第１制御を行うステップＣ１と、
前記下位電力管理装置が、前記上位電力管理装置の指示によらずに、前記ステップＡで受信する前記検出データに基づいて、前記機器を制御する第２制御を行うステップとＣ２を含む、電力管理方法。
【請求項２】
前記上位電力管理装置が、前記下位電力管理装置に対して、電力系統から前記施設への潮流、前記施設から前記電力系統への逆潮流及び前記施設に設けられる分散電源の少なくともいずれか１つを制御する制御メッセージを受信するステップＤを備える、請求項１に記載の電力管理方法。
【請求項３】
前記ステップＣ２は、前記施設のユーザの快適性を表す快適性指標が所定基準を満たしていない場合に、前記第２制御を行うステップである、請求項１又は請求項２に記載の電力管理方法。
【請求項４】
前記ステップＣ１は、前記施設のユーザの快適性を表す快適性指標が前記所定基準を満たしている場合に、前記第１制御を行うステップである、請求項３に記載の電力管理方法。
【請求項５】
前記所定基準は、前記上位電力管理装置によって更新される、請求項３又は請求項４に記載の電力管理方法。
【請求項６】
前記ステップＣ１は、電力系統から前記施設への潮流及び前記施設から前記電力系統への逆潮流の少なくともいずれか１つを抑制する抑制期間において、前記機器の優先度に基づいて前記第１制御を前記上位電力管理装置が行うステップを含む、請求項１乃至請求項５のいずれかに記載の電力管理方法。
【請求項７】
前記機器は、空調機器であり、
前記上位電力管理装置は、前記電力系統から前記施設への潮流を抑制する抑制期間において、前記優先度が低い順に前記空調機器の消費電力を削減する、請求項６に記載の電力管理方法。
【請求項８】
前記ステップＣ２は、電力系統から前記施設への潮流及び前記施設から前記電力系統への逆潮流の少なくともいずれか１つを抑制する抑制期間において、前記機器の優先度に基づいて前記第２制御を前記下位電力管理装置が行うステップを含む、請求項１乃至請求項６のいずれかに記載の電力管理方法。
【請求項９】
前記機器は、空調機器であり、
前記下位電力管理装置は、前記電力系統から前記施設への潮流を抑制する抑制期間において、前記施設のユーザの快適性を表す快適性指標が所定基準を満たしていない場合に、前記優先度が高い順に前記空調機器の消費電力を増大する、請求項６に記載の電力管理方法。
【請求項１０】
前記快適性指標は、ＰＭＶ（Ｐｒｅｄｉｃｔｅｄ  Ｍｅａｎ  Ｖｏｔｅ）及びＰＰＤ（Ｐｒｅｄｉｃｔｅｄ  Ｐｅｒｃｅｎｔａｇｅ  ｏｆ  Ｄｉｓｓａｔｉｓｆｉｅｄ）の少なくともいずれか１つである、請求項３に記載の電力管理方法。
【請求項１１】
施設に個別に設けられる下位電力管理装置であって、
前記施設に設けられる検出部から検出データを受信する受信部と、
前記下位電力管理装置を管理する上位電力管理装置に対して、前記検出データを送信する送信部と、
前記施設に設けられる機器を制御する制御部とを備え、
前記制御部は、
前記検出データに基づいた前記上位電力管理装置の指示に従って、前記機器を制御する第１制御を行い、
前記上位電力管理装置の指示によらずに、前記検出部から受信する前記検出データに基づいて、前記機器を制御する第２制御を行う、下位電力管理装置。
【請求項１２】
施設に個別に設けられる下位電力管理装置と、
前記下位電力管理装置を管理する上位電力管理装置とを備え、
前記下位電力管理装置は、前記施設に設けられる検出部から検出データを受信し、
前記下位電力管理装置は、前記上位電力管理装置に対して、前記検出データを送信し、
前記上位電力管理装置は、前記下位電力管理装置から受信する前記検出データに基づいて前記下位電力管理装置を通じて前記施設に設けられる機器を制御する第１制御を行い、
前記下位電力管理装置は、前記上位電力管理装置の指示によらずに、前記検出部から受信する前記検出データに基づいて、前記機器を制御する第２制御を行う、電力管理システム。
【発明の詳細な説明】
【技術分野】
【０００１】
本発明は、電力管理方法、下位電力管理装置及び電力管理システムに関する。
【背景技術】
【０００２】
従来、ユーザの快適性を表す指標（以下、快適性指標）として、ＰＭＶ（Ｐｒｅｄｉｃｔｅｄ  Ｍｅａｎ  Ｖｏｔｅ）又はＰＰＤ（Ｐｒｅｄｉｃｔｅｄ  Ｐｅｒｃｅｎｔａｇｅ  ｏｆ  Ｄｉｓｓａｔｉｓｆｉｅｄ）などの指標が知られている。さらに、快適性指標に基づいて各機器を制御する技術、快適性指標に基づいて電力系統から施設への潮流を抑制するメッセージ（ＤＲ；Ｄｅｍａｎｄ  Ｒｅｓｐｏｎｓｅ）を送信する技術も提案されている（例えば、特許文献１）。
【先行技術文献】
【特許文献】
【０００３】
【特許文献１】特開２０１６−１７８８２４号公報
【発明の概要】
【発明が解決しようとする課題】
【０００４】
ところで、上述したＤＲなどのメッセージは、電力系統の安定化を図るメッセージである。従って、電力系統の安定化に関する機器の制御は、各施設に設けられる下位電力管理装置ではなくて、下位電力管理装置を管理する上位電力管理装置によって行われることが好ましい。従って、快適性指標に基づいた各機器の制御についても、上位電力管理装置によって行われることが好ましい。
【０００５】
しかしながら、快適性指標に基づいた各機器の制御を上位電力管理装置が行うケースにおいては、ユーザの快適性に影響する機器の制御が遅延する可能性があり、ユーザの快適性が損なわれる可能性がある。
【０００６】
そこで、本発明は、上述した課題を解決するためになされたものであり、電力系統の安定化を適切に図りながらも、ユーザの快適性が損なわれる可能性を低減することを可能とする電力管理方法、下位電力管理装置及び電力管理システムを提供することを目的とする。
【課題を解決するための手段】
【０００７】
第１の特徴に係る電力管理方法は、施設に個別に設けられる下位電力管理装置が、前記施設に設けられる検出部から検出データを受信するステップＡと、前記下位電力管理装置が、前記下位電力管理装置を管理する上位電力管理装置に対して、前記検出データを送信するステップＢと、前記施設に設けられる機器を制御するステップＣとを備える。前記ステップＣは、前記上位電力管理装置が、前記ステップＢで受信する前記検出データに基づいて、前記下位電力管理装置を通じて前記機器を制御する第１制御を行うステップＣ１と、前記下位電力管理装置が、前記上位電力管理装置の指示によらずに、前記ステップＡで受信する前記検出データに基づいて、前記機器を制御する第２制御を行うステップとＣ２を含む。
【０００８】
第２の特徴に係る下位電力管理装置は、施設に個別に設けられる。前記下位電力管理装置は、前記施設に設けられる検出部から検出データを受信する受信部と、前記下位電力管理装置を管理する上位電力管理装置に対して、前記検出データを送信する送信部と、前記施設に設けられる機器を制御する制御部とを備える。前記制御部は、前記検出データに基づいた前記上位電力管理装置の指示に従って、前記機器を制御する第１制御を行う。前記制御部は、前記上位電力管理装置の指示によらずに、前記検出部から受信する前記検出データに基づいて、前記機器を制御する第２制御を行う。
【０００９】
第３の特徴に係る電力管理システムは、施設に個別に設けられる下位電力管理装置と、前記下位電力管理装置を管理する上位電力管理装置とを備える。前記下位電力管理装置は、前記施設に設けられる検出部から検出データを受信する。前記下位電力管理装置は、前記上位電力管理装置に対して、前記検出データを送信する。前記上位電力管理装置は、前記下位電力管理装置から受信する前記検出データに基づいて、前記下位電力管理装置を通じて前記施設に設けられる機器を制御する第１制御を行う。前記下位電力管理装置は、前記上位電力管理装置の指示によらずに、前記検出部から受信する前記検出データに基づいて、前記機器を制御する第２制御を行う。
【発明の効果】
【００１０】
一態様によれば、電力系統の安定化を適切に図りながらも、ユーザの快適性が損なわれる可能性を低減することを可能とする電力管理方法、下位電力管理装置及び電力管理システムを提供することができる。
【図面の簡単な説明】
【００１１】
【図１】図１は、実施形態に係る電力管理システムを示す図である。
【図２】図２は、実施形態に係る施設３００を示す図である。
【図３】図３は、実施形態に係る電力管理サーバ２００を示す図である。
【図４】図４は、実施形態に係るローカル制御装置３３０を示す図である。
【図５】図５は、実施形態に係る各種データの一例を示す図である。
【図６】図６は、実施形態に係る電力管理方法を示す図である。
【図７】図７は、実施形態に係る電力管理方法を示す図である。
【図８】図８は、変更例１に係る電力管理方法を示す図である。
【図９】図９は、変更例１に係る電力管理方法を示す図である。
【発明を実施するための形態】
【００１２】
以下において、実施形態について図面を参照しながら説明する。なお、以下の図面の記載において、同一又は類似の部分には、同一又は類似の符号を付している。
【００１３】
但し、図面は模式的なものであり、各寸法の比率などは現実のものとは異なる場合があることに留意すべきである。従って、具体的な寸法などは以下の説明を参酌して判断すべきである。また、図面相互間においても互いの寸法の関係又は比率が異なる部分が含まれていることは勿論である。
【００１４】
［実施形態］
（電力管理システム）
以下において、実施形態に係る電力管理システムについて説明する。
【００１５】
図１に示すように、電力管理システム１００は、電力管理サーバ２００と、施設３００と、電力会社４００とを有する。図１では、施設３００として、施設３００Ａ〜施設３００Ｃが例示されている。
【００１６】
各施設３００は、電力系統１１０に接続される。以下において、電力系統１１０から施設３００への電力の流れを潮流と称し、施設３００から電力系統１１０への電力の流れを逆潮流と称する。
【００１７】
電力管理サーバ２００、施設３００及び電力会社４００は、ネットワーク１２０に接続されている。ネットワーク１２０は、電力管理サーバ２００と施設３００との間の回線及び電力管理サーバ２００と電力会社４００との間の回線を提供すればよい。ネットワーク１２０は、例えば、インターネットである。ネットワーク１２０は、ＶＰＮ（Ｖｉｒｔｕａｌ  Ｐｒｉｖａｔｅ  Ｎｅｔｗｏｒｋ）などの専用回線を提供してもよい。
【００１８】
電力管理サーバ２００は、発電事業者、送配電事業者或いは小売事業者などの事業者によって管理されるサーバである。
【００１９】
実施形態において、電力管理サーバ２００は、ローカル制御装置３３０を管理する上位電力管理装置の一例である。電力管理サーバ２００は、ローカル制御装置３３０から受信する検出データに基づいて、ローカル制御装置３３０を通じて機器３１０を制御する第１制御を行う。
【００２０】
施設３００は、例えば、スーパーマーケット及びコンビニエンスストアなどの店舗である。施設３００は、機器３１０、検出部３２０及びローカル制御装置３３０を有する。施設３００は、例えば、図２に示すように、売場３０１、バックヤード３０２、機械室３０３Ａ、機械室３０３Ｂ及び室外機置場３０４などのエリアを有する。ここでは、施設３００が店舗であるケースを例示するが、施設３００は、住宅であってもよく、工場であってもよく、オフィスビルであってもよい。
【００２１】
売場３０１は、店舗で販売される対象物が陳列されるエリアである。売場３０１には、室内機及び冷ケースが設けられる。室内機は、機器３１０の一例である空調機器を構成しており、売場３０１の室内温度を調整する。冷ケースは、対象物の温度を調節する機器３１０の一例である。冷ケースは、例えば、対象物を冷却する冷蔵庫又は冷凍庫である。売場３０１には、機器３１０を制御するための検出データを検出する検出部３２０が設けられる。検出部３２０は、売場３０１の室内気温を検出してもよく、売場３０１の室内湿度を検出してもよく、売場３０１の室内風速を検出してもよい。検出部３２０は、室内機の消費電力を検出してもよく、冷ケースの庫内温度を検出してもよく、冷ケースの消費電力を検出してもよい。検出部３２０は、売場３０１に存在するユーザの移動速度を検出してもよく、売場３０１に存在するユーザの人口密度を検出してもよく、売場３０１に入室するユーザ及び売場３０１から退室するユーザを検出してもよい。
【００２２】
バックヤード３０２は、倉庫、作業場、調理場などのエリアである。バックヤード３０２には、売場３０１と同様に、室内機又は冷ケースなどの機器３１０が設けられてもよい。バックヤード３０２には、売場３０１と同様に、機器３１０を制御するための検出データを検出する検出部３２０が設けられてもよい。
【００２３】
機械室３０３Ａ及び機械室３０３Ｂは、売場３０１及びバックヤード３０２と区画されていたエリアである。機械室３０３Ａ及び機械室３０３Ｂには、コンプレッサが設けられる。コンプレッサは、冷ケースに媒体を供給する機器３１０の一例である。コンプレッサは、冷媒を供給してもよく、熱媒を供給してもよい。機械室３０３Ａ及び機械室３０３Ｂには、売場３０１と同様に、機器３１０を制御するための検出データを検出する検出部３２０が設けられてもよい。
【００２４】
室外機置場３０４は、売場３０１及びバックヤード３０２と区画されていたエリアである。室外機は、室外機置場３０４に配置される。室外機は、室内機とともに空調機器を構成する機器３１０の一例である。室外機置場３０４には、売場３０１と同様に、機器３１０を制御するための検出データを検出する検出部３２０が設けられてもよい。
【００２５】
機器３１０は、上述したように、空調機器、冷ケース、コンプレッサなどの機器である。検出部３２０は、機器３１０を制御するための検出データを検出する。検出部３２０は、例えば、温度センサ、圧力センサ、気圧センサ、風力センサ、電流センサ、電力センサ、電圧センサ、赤外線センサ、照度センサ、人感センサ、加速度センサ、カメラ等である。
【００２６】
ローカル制御装置３３０は、施設３００に個別に設けられる下位電力管理装置の一例である。ローカル制御装置３３０は、例えば、施設３００の電力を管理する装置（ＥＭＳ；Ｅｎｅｒｇｙ  Ｍａｎａｇｅｍｅｎｔ  Ｓｙｓｔｅｍ）である。ローカル制御装置３３０は、電力管理サーバ２００の指示によらずに、検出部３２０から受信する検出データに基づいて、前記機器を制御する第２制御を行う。
【００２７】
施設３００は、機器３１０及び検出部３２０に加えて、太陽電池装置、蓄電池装置、燃料電池装置などの分散電源を有していてもよい。上述したローカル制御装置は、これらの分散電源の動作状態を制御してもよい。
【００２８】
電力会社４００は、電力系統１１０などのインフラストラクチャーを提供するエンティティに属する上位電力管理サーバを含むものであり、例えば、発電事業者である。電力会社４００は、送配電事業者或いは小売事業者などの事業者に対して、各種の業務を委託してもよい。
【００２９】
ここで、電力会社４００は、電力管理サーバ２００に対して、様々な制御メッセージを送信してもよい。例えば、電力会社４００は、潮流の制御を要求する潮流制御メッセージ（例えば、ＤＲ；Ｄｅｍａｎｄ  Ｒｅｓｐｏｎｓｅ）を送信してもよく、逆潮流の制御を要求する逆潮流制御メッセージを送信してもよい。さらに、電力会社４００は、分散電源の動作状態を制御する電源制御メッセージを送信してもよい。潮流又は逆潮流の制御度合いは、絶対値（例えば、○○ｋＷ）で表されてもよく、相対値（例えば、○○％）で表されてもよい。或いは、潮流又は逆潮流の制御度合いは、２以上のレベルで表されてもよい。潮流又は逆潮流の制御度合いは、現在の電力需給バランスによって定められる電力料金（ＲＴＰ；Ｒｅａｌ  Ｔｉｍｅ  Ｐｒｉｃｉｎｇ）によって表されてもよく、過去の電力需給バランスによって定められる電力料金（ＴＯＵ；Ｔｉｍｅ  Ｏｆ  Ｕｓｅ）によって表されてもよい。
【００３０】
上述した電力管理サーバ２００は、電力管理サーバ２００によって管理されるローカル制御装置３３０に対して、電力会社４００から受信する制御メッセージの指示内容を実現するために、施設３００に設けられる分散電源に対する制御を指示する制御メッセージを送信してもよい。
【００３１】
（電力管理サーバ）
以下において、実施形態に係る電力管理サーバについて説明する。図３に示すように、電力管理サーバ２００は、管理部２１０と、通信部２２０と、制御部２３０とを有する。電力管理サーバ２００は、ＶＴＮ（Ｖｉｒｔｕａｌ  Ｔｏｐ  Ｎｏｄｅ）の一例である。
【００３２】
管理部２１０は、不揮発性メモリ又は／及びＨＤＤなどの記憶媒体によって構成されており、施設３００に関するデータを管理する。施設３００に関するデータは、機器３１０を制御するためのデータ（以下、上位装置データ）である。上位装置データは、例えば、図５に示すように、スケジュールデータ、イベントデータ、作業量データ、着衣量データ、機器データ、閾値データ（冷ケース）、優先度データ、施設データなどである。
【００３３】
スケジュールデータは、施設３００のユーザの活動量に影響を与えるデータである。スケジュールデータは、例えば、営業開始時刻、営業終了時刻、値下げ実施時刻、商品搬入時刻などである。
【００３４】
イベントデータは、電力系統１１０の安定化に関するデータである。イベントデータは、例えば、電力系統１１０から施設３００への潮流及び施設３００から電力系統１１０への逆潮流の少なくともいずれか１つを抑制する抑制期間などのデータである。抑制期間は、電力会社４００から受信する制御メッセージによって指定される。
【００３５】
作業量データは、施設３００のユーザの作業量に関するデータである。作業量データは、例えば、商品搬入に伴うユーザの作業量（ＭＥＴＳ；Ｍｅｄｉｃａｌ  Ｅｖａｎｇｅｌｉｓｍ  Ｔｒａｉｎｉｎｇ  ＆  Ｓｔｒａｔｅｇｉｅｓ）などである。
【００３６】
着衣量データは、施設３００のユーザの着衣に関するデータである。着衣量データは、例えば、所定条件（気温２１℃、湿度５０％、気流０．１ｍ／ｓ）を基準としてユーザが快適であると感じる熱抵抗（１ｃｌｏ）に対する相対的な指標である。
【００３７】
機器データは、機器３１０に関するデータである。機器データは、例えば、機器３１０の種別、機器３１０のスペックなどである。
【００３８】
閾値データ（冷ケース）は、機器３１０の一例である冷ケースに設定される閾値である。閾値データ（冷ケース）は、例えば、冷ケースの庫内温度が閾値を超えないように冷ケースを制御するためのデータである。
【００３９】
優先度データは、機器３１０に設定された優先度である。優先度データは、例えば、機器３１０が有する機能の優先度である。このような観点から、冷ケースの優先度は、空調機器の優先度よりも高くてもよい。優先度データは、例えば、施設３００のユーザの快適性を維持する優先度である。このような観点から、売場３０１の空調機器の優先度は、バックヤード３０２の優先度よりも高くてもよい。優先度データは、検出データに基づいて変更されてもよい。検出データは、例えば、図５に示すように、エリア毎のユーザの移動速度（移動速度データ）、エリア毎のユーザの人口密度（人口密度データ）、エリア毎のユーザの入室又は退室の状況（入退出データ）、エリア毎の室内気温（室内気温データ）、エリア毎の室内湿度（室内湿度データ）、エリア毎の室内気温（室内風速データ）などである。
【００４０】
施設データは、施設３００に関するデータである。施設データは、例えば、売場３０１、バックヤード３０２、機械室３０３、室外機置場３０４のレイアウト及び広さである。
【００４１】
通信部２２０は、通信モジュールによって構成されており、ネットワーク１２０を介してローカル制御装置３３０と通信を行う。通信部２２０は、検出部３２０によって検出された検出データをローカル制御装置３３０から受信する。通信部２２０は、機器３１０を制御する制御コマンドをローカル制御装置３３０に送信する。
【００４２】
制御部２３０は、メモリ及びＣＰＵなどによって構成されており、電力管理サーバ２００に設けられる各構成を制御する。制御部２３０は、ローカル制御装置３３０から受信する検出データに基づいて、ローカル制御装置３３０を通じて機器３１０を制御する第１制御を行う。検出データは、例えば、図５に示すデータである。
【００４３】
制御部２３０は、検出データに加えて、図５に示す上位装置データに基づいて第１制御を行ってもよい。さらに、制御部２３０は、図５に示す外部データ（室外気温データ、室外湿度データ、天候データ）に基づいて第１制御を行ってもよい。外部データは、ネットワーク１２０を介して取得可能である。
【００４４】
例えば、制御部２３０は、電力系統１１０の安定が損なわれない範囲で第１制御を行う。制御部２３０は、施設３００のユーザの快適性を表す快適性指標が所定基準を満たすように第１制御を行ってもよい。快適性指標は、ＰＭＶ及びＰＰＤの少なくともいずれか１つであってもよい。
【００４５】
ＰＭＶは、ユーザの快適さを表す指標であり、作業量、着衣量、放射熱、平均気温、平均湿度、平均風速などに基づいて算出される指標である。上述したように、作業量及び着衣量は、管理部２１０によって管理されており、放射熱は、検出データ及び外部データ（例えば、室外気温と室内気温との差異）から算出可能であり、平均気温、平均湿度及び平均風速は、検出部３２０によって検出される検出データから算出可能である。ＰＰＤは、ユーザの不快さを表す指標であり、ＰＭＶに基づいて算出可能である。所定基準は、ユーザが快適であると感じるＰＭＶの範囲であってもよく、ユーザが不快さを許容できるＰＰＤの上限であってもよい。
【００４６】
実施形態において、上述した所定基準は、制御部２３０によって更新される。例えば、制御部２３０は、潮流の抑制期間において、ＰＭＶの範囲を広げてもよく、ＰＰＤの上限を引き上げてもよい。制御部２３０は、潮流の抑制期間が終了した場合に、更新された所定基準を元に戻してもよい。
【００４７】
（ローカル制御装置）
以下において、実施形態に係るローカル制御装置について説明する。図４に示すように、ローカル制御装置３３０は、管理部３３１と、第１通信部３３２と、第２通信部３３３と、制御部３３４とを有する。ローカル制御装置３３０は、ＶＥＮ（Ｖｉｒｔｕａｌ  Ｅｎｄ  Ｎｏｄｅ）の一例である。
【００４８】
管理部３３１は、不揮発性メモリ又は／及びＨＤＤなどの記憶媒体によって構成されており、施設３００に関するデータを管理する。施設３００に関するデータは、機器３１０を制御するためのデータ（以下、下位装置データ）である。下位装置データは、例えば、図５に示すように、機器データ、閾値データ（空調機器）、優先度データ、施設データなどである。
【００４９】
機器データは、優先度データ及び施設データは、上位装置データと同様である。閾値データ（空調機器）は、機器３１０の一例である空調機器に設定される閾値である。閾値データ（空調機器）は、例えば、室内温度が閾値を超えないように空調機器を制御するためのデータである。
【００５０】
第１通信部３３２は、通信モジュールによって構成されており、ネットワーク１２０を介して電力管理サーバ２００と通信を行う。第１通信部３３２は、制御コマンドを電力管理サーバ２００から受信する。第１通信部３３２は、検出データを電力管理サーバ２００に送信する。
【００５１】
第２通信部３３３は、通信モジュールによって構成されており、機器３１０及び検出部３２０と通信を行う。第２通信部３３３は、制御コマンドを機器３１０に送信する。第２通信部３３３は、検出データを検出部３２０から受信する。
【００５２】
制御部３３４は、メモリ及びＣＰＵなどによって構成されており、ローカル制御装置３３０に設けられる各構成を制御する。制御部３３４は、電力管理サーバ２００の指示によらずに、検出部３２０から受信する検出データに基づいて、機器３１０を制御する第２制御を行う。検出データは、例えば、図５に示すデータである。
【００５３】
制御部３３４は、検出データに加えて、図５に示す下位装置データに基づいて第２制御を行ってもよい。さらに、制御部３３４は、図５に示す外部データ（室外気温データ、室外湿度データ、天候データ）に基づいて第２制御を行ってもよい。外部データは、ネットワーク１２０を介して取得可能である。
【００５４】
ここで、制御部３３４は、施設３００のユーザの快適性を表す快適性指標が所定基準を満たしていない場合に第２制御を行う。例えば、制御部３３４は、快適性指標が所定基準を満たすように第２制御を行う。
【００５５】
ところで、快適性指標が所定基準を満たすように電力管理サーバ２００が機器３１０を制御しているが、突発的な事象（予定外の商品搬入）の発生によって、一時的に快適性指標が所定基準を満たされないケースが想定される。このようなケースにおいて制御部３３４は第２制御を行う。このような観点から、第１制御は、快適性指標が所定基準を満たしている場合に行われる制御と考えてもよい。
【００５６】
快適性指標は、ＰＭＶ及びＰＰＤの少なくともいずれか１つであってもよい。但し、電力管理サーバ２００によって管理されるデータがローカル制御装置３３０によって管理されるデータよりも充実しているため、電力管理サーバ２００によって算出される快適性指標の精度は、ローカル制御装置３３０によって算出される快適性指標の精度よりも高い。従って、例外的なケースを除いて第１制御が第２制御よりも優先される。
【００５７】
（電力管理方法）
以下において、実施形態に係る電力管理方法について説明する。
【００５８】
第１に、上述した第１制御が行われるケースについて説明する。図６に示すように、ステップＳ１０において、検出部３２０は、検出データをローカル制御装置３３０に送信する。
【００５９】
ステップＳ１１において、ローカル制御装置３３０は、快適性指標が所定基準を満たしているか否かを判定する。ここでは、快適性指標が所定基準を満たしているケースについて説明を続ける。
【００６０】
ステップＳ１２において、ローカル制御装置３３０は、検出データを電力管理サーバ２００に送信する。
【００６１】
ステップＳ１３において、電力管理サーバ２００は、少なくとも検出データに基づいて制御コマンドを生成し、生成された制御コマンドをローカル制御装置３３０に送信する。例えば、電力管理サーバ２００は、快適性指標が所定基準を満たすように制御コマンドを生成する。
【００６２】
ステップＳ１４において、ローカル制御装置３３０は、電力管理サーバ２００から受信する制御コマンドを機器３１０に送信する。ローカル制御装置３３０は、制御コマンドのフォーマット変換を行ってもよい。
【００６３】
ステップＳ１５において、機器３１０は、制御コマンドに対する応答コマンドをローカル制御装置３３０に送信する。
【００６４】
第２に、上述した第２制御が行われるケースについて説明する。図７に示すように、ステップＳ２０において、検出部３２０は、検出データをローカル制御装置３３０に送信する。
【００６５】
ステップＳ２１において、ローカル制御装置３３０は、快適性指標が所定基準を満たしているか否かを判定する。ここでは、快適性指標が所定基準を満たしていないケースについて説明を続ける。
【００６６】
ステップＳ２４において、ローカル制御装置３３０は、少なくとも検出データに基づいて制御コマンドを生成し、生成された制御コマンドを機器３１０に送信する。例えば、ローカル制御装置３３０は、快適性指標が所定基準を満たすように制御コマンドを生成する。
【００６７】
ステップＳ２５において、機器３１０は、制御コマンドに対する応答コマンドをローカル制御装置３３０に送信する。
【００６８】
（作用及び効果）
実施形態では、電力管理サーバ２００が機器３１０を制御する第１制御及びローカル制御装置３３０が機器３１０を制御する第２制御を導入することによって、第１制御によって電力系統１１０の安定化を適切に図りながらも、第２制御によってユーザの快適性が損なわれる可能性を低減することができる。
【００６９】
［変更例１］
以下において、変更例１について説明する。以下においては、実施形態に対する相違点について主として説明する。
【００７０】
変更例１においては、機器３１０が空調機器であり、潮流の抑制が行われるケースについて考える。
【００７１】
具体的には、電力管理サーバ２００は、電力系統１１０から施設３００への潮流を抑制する抑制期間において、優先度が低い順に空調機器の消費電力を削減する。優先度は、上述したように、管理部２１０によって管理される優先度データから取得可能である。優先度データは検出データに基づいて変更されてもよい。
【００７２】
一方で、ローカル制御装置３３０は、電力系統１１０から施設３００への潮流を抑制する抑制期間において、快適性指標が所定基準を満たしていない場合に、優先度が高い順に空調機器の消費電力を増大してもよい。優先度は、上述したように、管理部３３１によって管理される優先度データから取得可能である。優先度データは検出データに基づいて変更されてもよい。
【００７３】
（電力管理方法）
以下において、実施形態に係る電力管理方法について説明する。
【００７４】
第１に、上述した第１制御が行われるケースについて説明する。図８に示すように、ステップＳ３０において、電力管理サーバ２００は、潮流の抑制を要求する潮流抑制メッセージ（ＤＲ）を受信する。
【００７５】
ステップＳ３１において、電力管理サーバ２００は、潮流の抑制を行うために、検出データを要求するコマンド（データ要求（ＤＲ））をローカル制御装置３３０に送信する。
【００７６】
ステップＳ３２において、ローカル制御装置３３０は、検出データを要求するコマンド（データ要求）を検出部３２０に送信する。
【００７７】
ステップＳ３３において、検出部３２０は、検出データをローカル制御装置３３０に送信する。
【００７８】
ステップＳ３４において、ローカル制御装置３３０は、快適性指標が所定基準を満たしているか否かを判定する。ここでは、快適性指標が所定基準を満たしているケースについて説明を続ける。
【００７９】
ステップＳ３５において、ローカル制御装置３３０は、検出データを電力管理サーバ２００に送信する。
【００８０】
ステップＳ３６において、電力管理サーバ２００は、空調機器の優先度に基づいて、潮流の抑制を実現するために、消費電力を削減すべき空調機器、空調機器が削減すべき消費電力量を判定する。このようなケースにおいて、電力管理サーバ２００は、優先度が低い順に空調機器の消費電力を削減するように、消費電力を削減すべき空調機器、空調機器が削減すべき消費電力量を決定する。消費電力量の削減は、空調機器の電源をオフにする制御を含む。
【００８１】
ステップＳ３７において、電力管理サーバ２００は、ステップＳ３６の判定結果に基づいて制御コマンドを生成し、生成された制御コマンドをローカル制御装置３３０に送信する。
【００８２】
ステップＳ３８において、ローカル制御装置３３０は、電力管理サーバ２００から受信する制御コマンドを空調機器に送信する。ローカル制御装置３３０は、制御コマンドのフォーマット変換を行ってもよい。
【００８３】
ステップＳ３９において、空調機器は、制御コマンドに対する応答コマンドをローカル制御装置３３０に送信する。
【００８４】
第２に、上述した第２制御が行われるケースについて説明する。図９に示すように、ステップＳ４０において、潮流の抑制が行われている。すなわち、ステップＳ４０は、図８に示すステップＳ３９に続くステップであると考えてもよい。
【００８５】
ステップＳ４３において、検出部３２０は、検出データをローカル制御装置３３０に送信する。
【００８６】
ステップＳ４４において、ローカル制御装置３３０は、快適性指標が所定基準を満たしているか否かを判定する。ここでは、快適性指標が所定基準を満たしていないケースについて説明を続ける。
【００８７】
ステップＳ４６において、ローカル制御装置３３０は、空調機器の優先度に基づいて、ユーザの快適性を改善するために、消費電力を増大すべき空調機器、空調機器が増大すべき消費電力量を判定する。このようなケースにおいて、ローカル制御装置３３０は、優先度が高い順に空調機器の消費電力を増大するように、消費電力を増大すべき空調機器、空調機器が増大すべき消費電力量を決定する。消費電力量の増大は、空調機器の電源をオンにする制御を含む。
【００８８】
ステップＳ４８において、ローカル制御装置３３０は、ステップＳ４６の判定結果に基づいて制御コマンドを生成し、生成された制御コマンドを空調機器に送信する。
【００８９】
ステップＳ４９において、空調機器は、制御コマンドに対する応答コマンドをローカル制御装置３３０に送信する。
【００９０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９１】
実施形態では、快適性指標が所定基準を満たしているか否かに基づいて、第１制御及び第２制御の切り替えが行われる。しかしながら、実施形態はこれに限定されるものではない。第１制御及び第２制御の切り替えは、例えば、電力管理サーバ２００とローカル制御装置３３０との間の通信が可能であるか否かによって行われてもよく、ユーザ操作によって行われてもよい。
【００９２】
変更例１では、潮流の抑制が行われるケースを例示した。しかしながら、変更例１はこれに限定されるものではない。変更例１は、逆潮流の抑制が行われるケースに適用されてもよい。このようなケースにおいては、電力管理サーバ２００は、逆潮流を抑制する抑制期間において、優先度が低い順に空調機器の消費電力を増大してもよい。一方で、ローカル制御装置３３０は、逆潮流を抑制する抑制期間において、快適性指標が所定基準を満たしていない場合に、優先度が高い順に空調機器の消費電力を削減してもよい。
【００９３】
変更例１では、機器３１０が空調機器であるケースを例示した。しかしながら、変更例１はこれに限定されるものではない。機器３１０は、ユーザの快適性に影響する機器（例えば、床暖房、換気機器）などであってもよい。
【符号の説明】
【００９４】
１００…電力管理システム、１１０…電力系統、１２０…ネットワーク、２００…電力管理サーバ、２１０…管理部、２２０…通信部、２３０…制御部、３００…施設、３１０…機器、３２０…検出部、３３０…ローカル制御装置、３３１…管理部、３３２…第１通信部、３３３…第２通信部、３３４…制御部、４００…電力会社
【図１】
2018137946.tif 000003
【図２】
2018137946.tif 000004
【図３】
2018137946.tif 000005
【図４】
2018137946.tif 000006
【図５】
2018137946.tif 000007
【図６】
2018137946.tif 000008
【図７】
2018137946.tif 000009
【図８】
2018137946.tif 000010
【図９】
2018137946.tif 000011